(57)【要約】【課題】徘徊老人や迷子の積極的な捜索を効率的に支援することができ、更に廉価なシステム構築を可能にする。【解決手段】捜索支援システム（１０）は、通信回線（９０）に接続されたサーバー装置（２０）と、通信回線を介してサーバー装置に接続可能な依頼者側端末（３０）と、画像及び文字を表示可能なディスプレイ（５５）と捜索対象の画像を撮像可能なカメラ（５２）とを有し通信回線を介してサーバー装置に接続可能な複数の捜索者側端末（４０）と、を含んで構成される。捜索支援システムは、捜索情報送信処理（ステップＳ１１）と捜索情報登録処理（ステップＳ２１）と捜索情報配信処理（ステップＳ２２）と捜索情報表示処理（ステップＳ３３）と候補画像送信処理（ステップＳ３４）と照合処理（ステップＳ２３）と発見通知処理（ステップＳ２５）とを実行可能である。【選択図】図１
2018142089.tif 000002
【特許請求の範囲】
【請求項１】
通信回線に接続されたサーバー装置と、
前記通信回線を介して前記サーバー装置に接続可能な依頼者側端末と、
画像及び文字を表示可能なディスプレイと捜索対象の画像を撮像可能なカメラとを有し前記通信回線を介して前記サーバー装置に接続可能な複数の捜索者側端末と、
を含んで構成され、
捜索対象の画像である捜索対象画像を含む情報であって捜索対象に関する情報である捜索情報を前記サーバー装置に送信する捜索情報送信処理と、
前記依頼者側端末から前記サーバー装置に送信された前記捜索情報を前記サーバー装置に登録する捜索情報登録処理と、
前記捜索者側端末からの要求又は前記依頼者側端末からの指示に基づいて前記サーバー装置に登録されている前記捜索情報を前記捜索者側端末へ配信する捜索情報配信処理と、
前記サーバー装置から配信された前記捜索情報を前記捜索者側端末の前記ディスプレイに表示する捜索情報表示処理と、
前記捜索者側端末の前記カメラで撮影した画像を捜索対象の候補となる候補画像として前記サーバー装置に送信する候補画像送信処理と、
前記捜索者側端末から前記サーバー装置に送信された前記候補画像と前記サーバー装置に登録されている前記捜索対象画像とを照合する照合処理と、
前記照合処理において前記候補画像と前記捜索対象画像とが一致していると判断された場合に前記依頼者側端末に前記捜索対象を発見した旨を通知する発見通知処理と、
を実行可能な捜索支援システム。
【請求項２】
前記照合処理において前記候補画像と前記捜索対象画像とが一致していると判断された場合に各前記捜索者側端末に捜索が終了した旨を通知する終了通知処理、
を更に実行可能な請求項１に記載の捜索支援システム。
【請求項３】
前記照合処理において前記候補画像と前記捜索対象画像との照合結果が一致した場合に、前記捜索対象の発見者に付与する報酬を示す報酬情報と、前記捜索対象画像と一致した前記候補画像を送信した前記捜索者側端末とを紐付けして前記サーバー装置に記憶させることで、前記捜索者側端末に前記報酬情報に応じた報酬を付与する報酬付与処理と、
を更に実行可能な請求項１又は２に記載の捜索支援システム。
【請求項４】
通信回線に接続されたサーバー装置と、
前記通信回線を介して前記サーバー装置に接続可能な依頼者側端末と、
画像及び文字を表示可能なディスプレイと捜索対象の画像を撮像可能なカメラとを有し前記通信回線を介して前記サーバー装置に接続可能な複数の捜索者側端末と、
を含んで構成された捜索支援システムにおいて、前記サーバー装置と前記依頼者側端末と前記捜索者側端末とに組み込まれた各コンピュータに実行されるプログラムであって、
各前記コンピュータのうちいずれかのコンピュータに、
捜索対象の画像である捜索対象画像を含む情報であって捜索対象に関する情報である捜索情報を前記サーバー装置に送信する捜索情報送信処理と、
前記依頼者側端末から前記サーバー装置に送信された前記捜索情報を前記サーバー装置に登録する捜索情報登録処理と、
前記捜索者側端末からの要求又は前記依頼者側端末からの指示に基づいて前記サーバー装置に登録されている前記捜索情報を前記捜索者側端末へ配信する捜索情報配信処理と、
前記サーバー装置から配信された前記捜索情報を前記捜索者側端末の前記ディスプレイに表示する捜索情報表示処理と、
前記捜索者側端末の前記カメラで撮影した画像を捜索対象の候補となる候補画像として前記サーバー装置に送信する候補画像送信処理と、
前記捜索者側端末から前記サーバー装置に送信された前記候補画像と前記サーバー装置に登録されている前記捜索対象画像とを照合する照合処理と、
前記照合処理において前記候補画像と前記捜索対象画像とが一致していると判断された場合に前記依頼者側端末に前記捜索対象を発見した旨を通知する発見通知処理と、
を実行させることができる捜索支援プログラム。
【発明の詳細な説明】
【技術分野】
【０００１】
本発明の実施形態は、捜索支援システム、及び捜索支援プログラムに関する。
【背景技術】
【０００２】
近年、情報通信技術を用いて、徘徊老人や迷子を効率的に捜索することができる技術が考えられている。例えば特許文献１では、屋外や公共施設に設置された掲示板に人物検出手段としてカメラ等を設け、掲示板の前方を通る人物を撮影し顔認証等によって照合することで、捜索対象の人物を探し出そうとしている。
【０００３】
しかしながら、徘徊老人や迷子は、その行動範囲によっては必ずしも掲示板の前方を通るとは限らない。そのため、このような従来構成では、徘徊老人や迷子が掲示板の前を通過するまで待たなければならず、その捜索は受動的なものとなっていた。また、このような従来構成では、屋外や公共施設に通信機能を有するカメラを設置しなければならないため、システムの構築に多くの費用を要する。
【先行技術文献】
【特許文献】
【０００４】
【特許文献１】特開２０１５−１７６２２０号公報
【発明の概要】
【発明が解決しようとする課題】
【０００５】
そこで、徘徊老人や迷子の積極的な捜索を効率的に支援することができ、更に廉価なシステム構築を可能にする捜索支援システム、及び捜索支援プログラムを提供する。
【課題を解決するための手段】
【０００６】
実施形態の捜索支援システムは、通信回線に接続されたサーバー装置と、前記通信回線を介して前記サーバー装置に接続可能な依頼者側端末と、画像及び文字を表示可能なディスプレイと捜索対象の画像を撮像可能なカメラとを有し前記通信回線を介して前記サーバー装置に接続可能な複数の捜索者側端末と、を含んで構成されている。捜索支援システムは、捜索対象の画像である捜索対象画像を含む情報であって捜索対象に関する情報である捜索情報を前記サーバー装置に送信する捜索情報送信処理と、前記依頼者側端末から前記サーバー装置に送信された前記捜索情報を前記サーバー装置に登録する捜索情報登録処理と、前記捜索者側端末からの要求又は前記依頼者側端末からの指示に基づいて前記サーバー装置に登録されている前記捜索情報を前記捜索者側端末へ配信する捜索情報配信処理と、前記サーバー装置から配信された前記捜索情報を前記捜索者側端末の前記ディスプレイに表示する捜索情報表示処理と、前記捜索者側端末の前記カメラで撮影した画像を捜索対象の候補となる候補画像として前記サーバー装置に送信する候補画像送信処理と、前記捜索者側端末から前記サーバー装置に送信された前記候補画像と前記サーバー装置に登録されている前記捜索対象画像とを照合する照合処理と、前記照合処理において前記候補画像と前記捜索対象画像とが一致していると判断された場合に前記依頼者側端末に前記捜索対象を発見した旨を通知する発見通知処理と、を実行可能である。
【図面の簡単な説明】
【０００７】
【図１】一実施形態による捜索支援システムの構成の一例を示す図
【図２】一実施形態による捜索支援システムについて、サーバー装置の電気的構成の一例を示すブロック図
【図３】一実施形態による捜索支援システムについて、依頼者側端末及び捜索者側端末の電気的構成の一例を示すブロック図
【図４】一実施形態による捜索支援システムについて、サーバー装置、依頼者側端末、及び捜索者側端末で行われる制御内容の一例を示すフローチャート
【図５】一実施形態による捜索支援システムについて、捜索情報送信処理を実行させる際に依頼者側端末のタッチパネルディスプレイに表示される内容の一例を示す図
【図６】一実施形態による捜索支援システムについて、配信指示処理を実行させる際に依頼者側端末のタッチパネルディスプレイに表示される内容の一例を示す図
【図７】一実施形態による捜索支援システムについて、配信要求処理を実行させる際に捜索者側端末のタッチパネルディスプレイに表示される内容の一例を示す図
【図８】一実施形態による捜索支援システムについて、捜索情報表示処理が実行された際に捜索者側端末のタッチパネルディスプレイに表示される内容の一例を示す図
【図９】一実施形態による捜索支援システムについて、撮影モードに切り替えた際に捜索者側端末のタッチパネルディスプレイに表示される内容の一例を示す図
【図１０】一実施形態による捜索支援システムについて、候補画像送信処理を実行させる際に捜索者側端末のタッチパネルディスプレイに表示される内容の一例を示す図（その１）
【図１１】一実施形態による捜索支援システムについて、候補画像送信処理を実行させる際に捜索者側端末のタッチパネルディスプレイに表示される内容の一例を示す図（その２）
【図１２】一実施形態による捜索支援システムについて、照合処理の結果が不一致だった場合に捜索者側端末のタッチパネルディスプレイに表示される内容の一例を示す図
【図１３】一実施形態による捜索支援システムについて、照合処理の結果が一致だった場合に捜索者側端末のタッチパネルディスプレイに表示される内容の一例を示す図
【図１４】一実施形態による捜索支援システムについて、捜索対象が発見された場合に依頼者側端末のタッチパネルディスプレイに表示される内容の一例を示す図
【図１５】一実施形態による捜索支援システムについて、依頼者側端末のタッチパネルディスプレイに表示される発見場所の地図の一例を示す図
【図１６】一実施形態による捜索支援システムについて、サーバー装置の記憶部に記憶されるデータであって捜索側端末と報酬とを紐付けしたデータを概念的に示す図
【発明を実施するための形態】
【０００８】
以下、本発明の一実施形態について説明する。まず、図１〜図３を参照して、捜索支援システム１０の構成について説明する。
図１に示すように、捜索支援システム１０は、サーバー装置２０、少なくとも１台の依頼者側端末３０、及び複数の捜索者側端末４０を含んで構成されている。サーバー装置２０、依頼者側端末３０、及び捜索者側端末４０は、インターネットや携帯電話回線等の電気通信回線９０を介して相互に接続可能となっている。捜索支援システム１０は、複数の捜索者側端末４０のユーザの協力を得ることで、例えば徘徊老人や迷子、又は家出人等の捜索を支援するためのシステムである。なお、捜索支援システム１０の捜索対象は、徘徊老人や迷子等の人間に限られず、例えば犬や猫等の動物を含めることもできる。
【０００９】
サーバー装置２０は、インターネット上に設けられており、データベースサーバ、Ｗｅｂサーバー、クラウドサーバー、管理サーバーなどと称される。サーバー装置２０は、図２に示すように、制御部２１、記憶部２２、照合処理部２３、及び通信部２４を有している。制御部２１は、例えばＣＰＵ２１１や、ＲＯＭ及びＲＡＭなどの主記憶装置２１２を有するマイクロコンピュータを主体に構成されており、サーバー装置２０全体の制御を司る。
【００１０】
主記憶装置２１２は、捜索支援プログラムの全部又は一部を記憶している。サーバー装置２０は、主記憶装置２１２に記憶されている捜索支援プログラムをＣＰＵ２１１において実行することで、依頼者側端末３０及び捜索者側端末４０と協働して捜索支援システム１０を実現する。記憶部２２は、例えばハードディスクドライブやフラッシュメモリなどの補助記憶装置であり、追加、書き換え、又は削除が行われる予定がある各種データを記憶する。
【００１１】
照合処理部２３は、例えば公知の顔認証システムなどで構成されている。照合処理部２３は、記憶部２２に記憶されている画像と、捜索者側端末４０から送信された比較対象となる画像とを照合し、これらの画像が一致しているか否かを判断する。制御部２１は、ＣＰＵ２１１において主記憶装置２１２に記憶されているプログラムを実行することで、照合処理部２３を仮想的に実現する。なお、照合処理部２３は、例えば制御部２１と一体又は別体の集積回路としてハードウェア的に実現しても良い。
【００１２】
通信部２４は、例えば携帯電話回線や、有線又は無線ＬＡＮを用いた通信機能によって、電気通信回線９０に接続するための構成である。サーバー装置２０は、通信部２４の機能によって、電気通信回線９０を介して、依頼者側端末３０との間、及び捜索者側端末４０との間で各種データを送受信することができる。
【００１３】
図１に示す依頼者側端末３０は、捜索の依頼者が所持している端末である。捜索者側端末４０は、捜索対象の捜索に協力する捜索者が所持している端末である。依頼者側端末３０及び捜索者側端末４０は、例えばスマートフォンなどの高機能携帯端末で構成されている。この場合、依頼者側端末３０と捜索者側端末４０との構成は共通しているため、依頼者側端末３０と捜索者側端末４０とを総称して端末３０、４０と称する。なお、依頼者側端末３０は、スマートフォンなどの携帯可能な構成に限られず、パソコン等で構成しても良い。
【００１４】
端末３０、４０は、図３に示すように、制御部５１、カメラ５２、マイク５３、スピーカ５４、タッチパネルディスプレイ５５、記憶部５６、位置情報取得部５７、及び通信部５８を有している。制御部５１は、例えばＣＰＵ５１１や、ＲＯＭ及びＲＡＭなどの主記憶装置５１２を有するマイクロコンピュータを主体に構成されており、端末３０、４０全体の制御を司る。
【００１５】
主記憶装置５１２は、捜索支援プログラムの全部又は一部を記憶している。端末３０、４０は、主記憶装置５１２に記憶されている捜索支援プログラムをＣＰＵ５１１において実行することで、サーバー装置２０と協働して捜索支援システム１０を実現する。カメラ５２は、スマートフォン等に内蔵された一般的なカメラであり、捜索対象の静止画及び動画を撮影することができる。マイク５３は、スマートフォン等に内蔵された一般的なマイクであり、端末３０、４０の周囲の音を集音することができる。スピーカ５４は、スマートフォン等に内蔵された一般的なスピーカであり、端末３０、４０に記憶されている音又は端末３０、４０で生成された音等を発生させることができる。
【００１６】
タッチパネルディスプレイ５５は、スマートフォン等に設けられている一般的なタッチパネルディスプレイであり、例えば端末３０、４０の表面側の大部分を占めるように設けられている。タッチパネルディスプレイ５５は、入力デバイスであるタッチパネルと、表示デバイスであるディスプレイとを重ねて配置したものである。タッチパネルディスプレイ５５は、ユーザからの入力操作を受け付けると共に、文字や写真等の画像を表示することができる。
【００１７】
記憶部５６は、例えばフラッシュメモリなどの補助記憶装置であり、追加、書き換え、又は削除が行われる予定がある各種データを記憶する。位置情報取得部５７は、例えばＧＰＳ（全地球測位システム）や近距離無線システム等を用いて、端末３０、４０の現在位置を取得する機能を有している。通信部５８は、例えば携帯電話回線や、有線又は無線ＬＡＮを用いた通信機能によって、電気通信回線９０に接続するための構成である。端末３０、４０は、通信部５８の機能によって、電気通信回線９０を介して、サーバー装置２０との間でデータを送受信することができる。また、依頼者側端末３０と捜索者側端末４０とは、サーバー装置２０及び電気通信回線９０を介して間接的に、及びサーバー装置２０を介さず電気通信回線９０を介して直接的に各種データを送受信することができる。
【００１８】
次に、図４以降も参照して、捜索支援システム１０の動作内容について説明する。なお、以下の説明では、依頼者側端末３０のユーザを依頼者と称し、捜索者側端末４０のユーザを捜索者と称する。サーバー装置２０及び端末３０、４０は、各制御部２１、５１において捜索支援プログラムを実行することで、サーバー装置２０と端末３０、４０とで協働して捜索支援システム１０を実現する。
【００１９】
捜索支援システム１０では、まず、図４のステップＳ１１に示すように、依頼者側端末３０によって捜索情報送信処理が実行される。捜索情報送信処理は、図４及び図５に示すように、依頼者によって依頼者側端末３０に入力された捜索情報６１をサーバー装置２０に送信する処理である。捜索情報６１は、図５に示すように、捜索対象の画像である捜索対象画像６１１を含む情報であって捜索対象に関する情報である。依頼者は、依頼者側端末３０のタッチパネルディスプレイ５５を操作して、捜索情報６１の各項目を入力設定する。
【００２０】
依頼者側端末３０は、例えば依頼者側端末３０のカメラ５２を用いて撮影した画像や、記憶部５６に記録されている過去に撮影した画像や動画から、捜索対象画像６１１を取得することができる。捜索情報６１は、捜索対象画像６１１の他、詳細事項６１２及び報酬情報６１３を含んでいる。詳細事項６１２は、例えば捜索対象の氏名、年齢、性別、身長、失踪場所等、捜索対象の詳細に関する情報である。
【００２１】
報酬情報６１３は、例えば捜索対象の最初の発見者に付与される報酬を示すものであり、例えばポイントで表現することができる。図５の例では、報酬情報６１３は、「１００ｐｔ」に設定されている。そのため、図５に示す捜索対象を最初に発見した発見者には、「１００ｐｔ」の報酬が付与される。なお、報酬情報６１３の内容は、捜索者が任意に設定しても良いし、予め定められた一定値としても良い。また、報酬情報６１３は、ポイントに限られず、報酬品や報酬金額等であっても良い。
【００２２】
依頼者側端末３０は、図５に示すように、タッチパネルディスプレイ５５に、例えば捜索情報６１と共に送信アイコン７０を表示させる。依頼者は、送信アイコン７０をタッチ操作することで、図４のステップＳＳ１１に示す捜索情報送信処理を実行させて、捜索情報６１をサーバー装置２０に送信することができる。
【００２３】
依頼者側端末３０で捜索情報送信処理が実行されると、図４のステップＳ２１に示すように、サーバー装置２０において、捜索情報登録処理が実行される。捜索情報登録処理は、ステップＳ１１において依頼者側端末３０からサーバー装置２０に送信された捜索情報６１をサーバー装置２０に登録する処理である。依頼者側端末３０からサーバー装置２０に送信された捜索情報６１は、サーバー装置２０の記憶部２２に記憶される。サーバー装置２０は、依頼者側端末３０とその依頼者側端末３０から送信された捜索情報６１とを紐付けて、複数の捜索情報６１つまり捜索対象を登録することができる。
【００２４】
捜索情報登録処理の実行によりサーバー装置２０に捜索情報６１が登録されると、依頼者側端末３０では、図４に示すステップＳ１２の配信指示処理が実行可能になると共に、捜索者側端末４０では、ステップＳ３１に示す配信要求処理が実行可能になる。配信指示処理は、依頼者側端末３０からサーバー装置２０に対して、サーバー装置２０に登録されている捜索情報６１を、各捜索者側端末４０へ自動的に配信するように指示を出す処理である。
【００２５】
例えば図４のステップＳ２１において、サーバー装置２０に捜索情報が登録されると、依頼者側端末３０は、図６に示すように、依頼者側端末３０のタッチパネルディスプレイ５５に配信指示アイコン７１を表示させる。依頼者は、配信指示アイコン７１をタッチ操作することで、図４のステップＳ１２に示す配信指示処理を依頼者側端末３０に実行させることができる。そして、配信指示を受信したサーバー装置２０は、配信指示を出した依頼者側端末３０に紐付けされた捜索情報６１を、各捜索者側端末４０に一斉に配信する。
【００２６】
配信要求処理は、捜索者側端末４０からサーバー装置２０に対して、サーバー装置２０に登録されている捜索情報６１を、配信要求処理を実行した捜索者側端末４０に個別に配信するように要求する処理である。例えば依頼者側端末３０がサーバー装置２０へアクセスすると、その依頼者側端末３０のタッチパネルディスプレイ５５には、図７に示すように、配信可能な複数の依頼概要６２が一覧で表示されると共に、依頼概要６２に対応した選択アイコン７２が表示される。各依頼概要６２は、現在サーバー装置２０に登録されている捜索情報６１に対応しており、捜索情報６１の一部によって構成されている。図７の例では、依頼概要６２は、捜索情報６１のうち例えば失踪場所及び報酬内容で構成されている。
【００２７】
捜索者は、依頼概要６２に対応した選択アイコン７２をタッチ操作することで、図４のステップＳ３１に示す配信要求処理を、その捜索者側端末４０に実行させることができる。そして、配信要求を受信したサーバー装置２０は、その配信要求を送信した捜索者側端末４０に対して、選択された捜索情報６１を配信する。
【００２８】
捜索者側端末４０は、サーバー装置２０から捜索情報６１を受信すると、図４のステップＳ３２に示すように、捜索情報表示処理を実行する。捜索情報表示処理は、図８に示すように、捜索情報６１を受信した捜索者側端末４０のタッチパネルディスプレイ５５に対して、その受信した捜索情報６１を表示させる処理である。捜索者は、自己のタッチパネルディスプレイ５５に表示された捜索情報６１を見ることで、捜索対象者の詳細を把握することができる。
【００２９】
捜索情報表示処理が実行されると、捜索者側端末４０は、図８に示すように、タッチパネルディスプレイ５５に捜索情報６１を表示させると共に、モード切替アイコン７３を表示させる。捜索者側端末４０は、モード切替アイコン７３がタッチ操作されると、図９に示すように、タッチパネルディスプレイ５５の表示内容を撮影モードに切り替える。
【００３０】
図９に示す撮影モードでは、捜索者側端末４０は、タッチパネルディスプレイ５５に、撮影領域６３、撮影アイコン７４、及び情報表示アイコン７５を表示させる。撮影領域６３内には、その捜索者側端末４０のカメラ５２から取得された画像がリアルタイムで表示される。捜索者側端末４０は、捜索者によって撮影アイコン７４がタッチ操作されると、カメラ５２で捕らえた画像つまり撮影領域６３内に表示されている画像を撮影する。この場合、捜索者側端末４０は、位置情報取得部５７によって現在の位置情報つまり画像が撮影された場所の位置情報も取得する。また、捜索者側端末４０は、捜索者によって情報表示アイコン７５がタッチ操作されると、図８に示すように、タッチパネルディスプレイ５５に捜索情報６１を再度表示させる。
【００３１】
捜索者側端末４０は、図９の状態から、撮影アイコン７４がタッチ操作されて画像を撮影すると、図１０に示すように、タッチパネルディスプレイ５５上に、図９で撮影した撮影画像６４と共に、撮影画像６４の撮影場所を示す位置情報６５及び捜索情報６１を同一画面に並べて表示させる。そして、捜索者側端末４０は、タッチパネルディスプレイ５５に、キャンセルアイコン７６と送信アイコン７７とを表示させる。
【００３２】
捜索者は、撮影画像６４をサーバー装置２０へ送信せずに再度撮影を試みる場合はキャンセルアイコン７６をタッチ操作し、撮影画像６４をサーバー装置２０へ送信する場合には送信アイコン７７をタッチ操作する。捜索者側端末４０は、キャンセルアイコン７６がタッチ操作されると、タッチパネルディスプレイ５５の表示内容を図９のものに戻し、撮影可能な状態に戻す。一方、捜索者側端末４０は、送信アイコン７７がタッチ操作されると、図４のステップＳ３３に示すように、候補画像送信処理及び位置情報送信処理を実行する。
【００３３】
候補画像送信処理は、捜索者側端末４０のカメラ５２で撮影した画像を、捜索対象の候補となる候補画像としてサーバー装置２０に送信する処理である。図１０の例では、タッチパネルディスプレイ５５に表示されている撮影画像６４の内容が、候補画像となる。位置情報送信処理は、候補画像となった撮影画像６４の位置情報６５を、サーバー装置２０に送信する処理である。すなわち、図４のステップＳ３３において、候補画像送信処理及び位置情報送信処理が実行されると、サーバー装置２０は、候補画像となる撮影画像６４と位置情報６５とを捜索者側端末４０から取得する。
【００３４】
サーバー装置２０は、候補画像となる撮影画像６４と位置情報６５とを捜索者側端末４０から取得すると、図４のステップＳ２３、Ｓ２４に示すように、照合処理を実行する。照合処理は、照合処理部２３の機能により、捜索者側端末４０からサーバー装置２０に送信された候補画像つまり撮影画像６４と、サーバー装置２０に登録されている捜索対象画像６１１とを照合する処理である。
【００３５】
サーバー装置２０は、ステップＳ２３において照合処理を実行すると、ステップＳ２４において、照合処理の結果を判断する。この場合、サーバー装置２０は、撮影画像６４と捜索対象画像６１１との照合を、一致又は不一致の２択で判定しても良いし、一致率として割合で判定しても良い。本実施形態では、説明を簡易にするため、一致又は不一致の２択で判定する。なお、一致率として割合で判断する場合、所定の一致率を超えた場合については、一致しているものとみなすことができる。
【００３６】
図４のステップＳ２４において照合処理の結果が不一致となった場合（ステップＳ２４でＮＯ）、つまり例えば図１１に示すように撮影画像６４の人物が捜索対象画像６１１の人物と異なっていると判定された場合、サーバー装置２０は、図４及び図１２に示すように、撮影画像６４が捜索対象画像６１１と一致していない旨を示す不一致通知６６を捜索者側端末４０に通知する。不一致通知６６を受信した捜索者側端末４０は、図１２に示すように、タッチパネルディスプレイ５５にその不一致通知６６を表示させる。そして、サーバー装置２０は、図４に示すように、ステップＳ２３以前に処理を戻し、捜索者側端末４０から候補画像である撮影画像６４が再度送信されるまで待機する。
【００３７】
一方、ステップＳ２４において照合処理の結果が一致となった場合（ステップＳ２４でＹＥＳ）、つまり撮影画像６４の人物と捜索対象画像６１１の人物とが同一人物であると判定された場合、サーバー装置２０は、ステップＳ２５に処理を進め、発見通知処理及び終了通知処理を実行する。
【００３８】
発見通知処理は、ステップＳ２３、Ｓ２４の照合処理において候補画像となる撮影画像６４と捜索対象画像６１１とが一致していると判断された場合に、少なくとも依頼者側端末３０に捜索対象を発見した旨を示す発見通知を通知する処理である。終了通知処理は、ステップＳ２３、Ｓ２４の照合処理おいて候補画像となっていた撮影画像６４と捜索対象画像６１１とが一致していると判断された場合に、少なくとも各捜索者側端末４０に捜索が終了した旨を示す終了通知を通知する処理である。本実施形態の場合、サーバー装置２０は、発見通知処理及び終了通知処理を実行すると、依頼者側端末３０及び各捜索者側端末４０に対して、発見通知及び終了通知を通知する。
【００３９】
また、サーバー装置２０は、ステップＳ２６において、発見画像送信処理及び位置情報送信処理を実行する。発見画像送信処理は、ステップＳ２３、２４の照合処理において一致と判断された候補画像つまり撮影画像６４を、発見画像としてサーバー装置２０から依頼者側端末３０へ送信する処理である。ステップＳ２６の位置情報送信処理は、発見画像となる撮影画像６４が撮影された位置情報６５を、サーバー装置２０から依頼者側端末３０へ送信する処理である。
【００４０】
また、サーバー装置２０は、ステップＳ２７において報酬付与処理を実行する。報酬付与処理は、捜索候補の発見者の捜索者側端末４０に対して報酬を付与する処理である。サーバー装置２０は、図１６に示すように、捜索対象画像６１１と一致した候補画像つまり撮影画像６４を送信した捜索者側端末４０とを紐付けして、サーバー装置２０の記憶部２２に記憶することで、その捜索者側端末４０に報酬情報に応じた報酬を付与する。本実施形態の例では、図５に示すように、報酬ポイントは１００ｐｔであるため、発見者の捜索者側端末４０には、１００ｐｔの報酬ポイントが付与される。
【００４１】
そして、サーバー装置２０は、図４のステップＳ２８において、付与情報送信処理を実行する。付与情報送信処理は、報酬を付与した捜索者側端末４０つまり発見者が所持する捜索者側端末４０に対して、ステップＳ２７で付与した報酬に関する情報つまり付与情報を送信する処理である。その後、サーバー装置２０は、一連の処理を終了する（図４のエンド）。
【００４２】
ステップＳ２５、Ｓ２６、Ｓ２７、Ｓ２８が実行された後、捜索者側端末４０は、発見通知表示処理、終了通知表示処理、及び付与情報表示処理を実行する。捜索者側端末４０は、発見通知表示処理を実行すると、図１３に示すように、捜索対象が発見された旨を通知する発見通知６７を、捜索者側端末４０のタッチパネルディスプレイ５５に表示させる。また、捜索者側端末４０は、終了通知表示処理を実行すると、発見された捜索対象の捜索を終了する旨を通知する終了通知６８を、捜索者側端末４０のタッチパネルディスプレイ５５に表示させる。
【００４３】
そして、捜索者側端末４０は、付与情報表示処理を実行すると、付与情報６９を捜索者側端末４０のタッチパネルディスプレイ５５に表示させる。なお、付与情報表示処理では、付与情報６９として直近の捜索対象の発見によって付与された報酬内容を表示させても良いし、現時点において捜索者側端末４０に付与されている報酬の総計を表示させても良い。この場合、発見通知６７及び終了通知６８の内容は、各捜索者側端末４０において共通している。一方、付与情報６９の内容は、捜索者側端末４０の個体毎によって異なる。
これにより、捜索に参加している各捜索者は、捜索対象が発見されて捜索が終了したことや、獲得した報酬を知ることができる。
【００４４】
この場合、捜索者側端末４０は、タッチパネルディスプレイ５５に、発見通知６７、終了通知６８、及び付与情報６９の他、捜索情報６１とＯＫアイコン７８とを表示させる。そして、ＯＫアイコン７８がタッチ操作されると、捜索者側端末４０は、一連の処理を終了する（図４のエンド）。
【００４５】
また、依頼者側端末３０は、図４のステップＳ１３において、発見通知表示処理、発見画像表示処理、及び位置情報表示処理を実行する。依頼者側端末３０は、発見通知表示処理を実行すると、図１４に示すように、捜索対象が発見された旨を通知する発見通知６７を、依頼者側端末３０のタッチパネルディスプレイ５５に表示させる。また、依頼者側端末３０は、発見画像表示処理を実行すると、捜索対象の発見画像となる撮影画像６４を、依頼者側端末３０のタッチパネルディスプレイ５５に表示させる。
【００４６】
そして、依頼者側端末３０は、位置情報表示処理を実行すると、捜索対象の撮影画像６４が撮影された位置情報６５を、依頼者側端末３０のタッチパネルディスプレイ５５に表示させる。この場合、依頼者側端末３０は、発見画像となる撮影画像６４と、位置情報６５と、発見通知６７とを、同一画面上に並べて表示させる。これにより、依頼者は、捜索対象が発見されたこと、及びその発見場所を知ることができる。
【００４７】
また、依頼者側端末３０は、タッチパネルディスプレイ５５に、撮影画像６４と位置情報６５と発見通知６７と共に、ＯＫアイコン７８と地図表示アイコン７９とを表示させる。地図表示アイコン７９がタッチ操作されると、依頼者側端末３０は、位置情報６５に基づいて、図１５に示すように捜索対象の発見場所を示す地図８０を、タッチパネルディスプレイ５５に表示させる。これにより、依頼者は、捜索対象の現在位置つまり発見場所をより詳細に確認することができる。そして、図１４又は図１５においてＯＫアイコン７８がタッチ操作されると、依頼者側端末３０は、一連の処理を終了する（図４のエンド）。
【００４８】
なお、この場合、依頼者は、依頼者側端末３０と捜索者側端末４０とが有する電話機能を利用することで、捜索対象と会話することができる。また、依頼者側端末３０と捜索者側端末４０との通信機能を利用するなどして、発見者の捜索者側端末４０のタッチパネルディスプレイ５５に、依頼者の顔を表示させても良い。これらは、捜索対象を、その発見場所に引き止めることに役立つ。
【００４９】
以上説明した実施形態によれば、捜索支援システム１０は、サーバー装置２０と、少なくとも１台の依頼者側端末３０と、複数の捜索者側端末４０と、を含んで構成されている。捜索支援システム１０は、図４に示すように、捜索情報送信処理（ステップＳ１１）と、捜索情報登録処理（ステップＳ２１）と、捜索情報配信処理（ステップＳ２２）と、捜索情報表示処理（ステップＳ３２）と、候補画像送信処理（ステップＳ３４）と、照合処理（ステップＳ２３）と、発見通知処理（ステップＳ２５）と、を実行可能である。
【００５０】
この捜索支援システム１０によれば、捜索対象の捜索について、捜索者側端末４０のユーザつまりスマートフォン等の一般ユーザの協力を得ることができる。この場合、捜索支援システム１０は、顔認証等によって捜索対象画像６１１と撮影画像６４とを照合するため、捜索者が捜索対象を直接知らない場合であっても、効率良く捜索することができる。
【００５１】
更に、捜索支援システム１０によれば、スマートフォン等の捜索者側端末４０は、一定箇所に固定されたものではなく、捜索者つまり捜索者側端末４０のユーザと共に自由に移動することができる。したがって、捜索者は、捜索対象が目の前を通過するまで待つことなく、自由に動き回って捜索対象を捜索することができるため、その捜索を積極的なものにすることができ、捜索の効率を向上させることができる。
【００５２】
更に、この捜索支援システム１０によれば、捜索者が既に所有しているスマートフォン等の端末４０を利用することができる。このため、捜索支援システム１０を構築するために、新たに屋外や公共施設に通信機能を有するカメラ等を設置する必要がない。更には、捜索対象に予めＧＰＳやＩＣタグなどの装置を取り付けておく必要が無い。これらの結果、捜索支援システム１０を、既存の機器を活用して廉価に構築することができる。
【００５３】
更に、この捜索支援システム１０によれば、捜索対象の画像である捜索対象画像６１１は、依頼者が所有している例えばスマートフォン等で構成された依頼者側端末３０からサーバー装置２０に送信されて登録される。そのため、依頼者は、どこにいても早急に捜索情報をサーバー装置２０に登録して捜索依頼を出すことができる。
【００５４】
更に、依頼者側端末３０は、依頼者側端末３０のカメラ５２で実際に撮影された画像だけでなく、依頼者側端末３０の記憶部５６に記憶されている画像も、捜索対象画像６１１としてサーバー装置２０に送信することができる。これによれば、捜索情報６１をサーバー装置２０に登録する前に捜索対象が失踪した場合であっても、つまり捜索対象が失踪した後からでも、捜索対象画像６１１を含む捜索情報６１をサーバー装置２０に登録することができる。その結果、依頼者に対し、捜索対象が失踪した後であっても捜索可能であるという安心感を与えることができる。
【００５５】
また、この捜索支援システム１０は、終了通知処理（図４のステップＳ２５）を実行可能である。終了通知処理は、照合処理（ステップ２３）の結果について、候補画像である撮影画像６４と捜索対象画像６１１とが一致していると判断された場合に（ステップＳ２４でＹＥＳ）、各捜索者側端末４０に捜索が終了した旨を通知する処理である。これによれば、捜索に参加している各捜索者側端末４０のユーザつまり各捜索者は、終了通知６８を確認することで、その捜索対象の捜索が終了したことを知ることができる。そのため、捜索対象が発見されたにもかかわらず捜索が続行される、といった無駄の発生を抑制することができる。
【００５６】
また、この捜索支援システム１０は、報酬付与処理（図４のステップＳ２７）を実行可能である。報酬付与処理は、捜索対象の発見者、この場合、捜索対象の第一発見者に、捜索対象に応じた報酬つまり報酬情報６１３に応じた報酬を付与する処理である。この報酬付与処理は、次のようにして行われる。すなわち、照合処理（ステップＳ２３）の結果について、候補画像である撮影画像６４と捜索対象画像６１１との照合結果が一致した場合に（ステップＳ２４でＹＥＳ）、報酬情報６１３と、捜索対象画像６１１と一致した候補画像６４を送信した捜索者側端末４０とを紐付けして、サーバー装置２０に記憶させる。
【００５７】
これによれば、捜索者に対して多くの報酬を獲得したいとの意欲を沸かせることができるため、各捜索者に、より積極的に捜索してもらうことができる。また、捜索に対する報酬を明確にすることで、より多くの参加者を集めることができる。これらの結果、より多くの参加者がより積極的に捜索に参加してくれるようになるため、捜索の効率を更に向上させることができる。
【００５８】
また、サーバー装置２０は、依頼者側端末３０に対して、捜索対象が発見されたときの捜索対象の位置情報６５を送信する。そして、依頼者側端末３０は、その位置情報６５に基づいて、捜索対象の発見場所を、タッチパネルディスプレイ５５に表示させる。これによれば、依頼者は、捜索対象の現在位置つまり発見場所を確認することができるため、早急にその発見場所に向かい、捜索対象を保護することができる。
【００５９】
なお、本発明の実施形態は、上記し且つ図面に記載した各実施形態に限定されるものではなく、発明の要旨を逸脱しない範囲において適宜変更することができる。
【符号の説明】
【００６０】
図面中、１０は捜索支援システム、２０はサーバー装置、３０は依頼者側端末、４０は捜索者側端末、５２はカメラ、５５はタッチパネルディスプレイ（ディスプレイ）、６１は捜索情報、６１１は捜索対象画像、６１３は報酬情報、６４は候補画像、９０は電気通信回線（通信回線）を示す。
【図１】
2018142089.tif 000003
【図２】
2018142089.tif 000004
【図３】
2018142089.tif 000005
【図４】
2018142089.tif 000006
【図５】
2018142089.tif 000007
【図６】
2018142089.tif 000008
【図７】
2018142089.tif 000009
【図８】
2018142089.tif 000010
【図９】
2018142089.tif 000011
【図１０】
2018142089.tif 000012
【図１１】
2018142089.tif 000013
【図１２】
2018142089.tif 000014
【図１３】
2018142089.tif 000015
【図１４】
2018142089.tif 000016
【図１５】
2018142089.tif 000017
【図１６】
2018142089.tif 000018